(57)【特許請求の範囲】
【請求項１】
乳房カップと乳房カップにその一端が取り付けられている肩紐とを少なくとも有するロングブラジャー又はボディスーツから選ばれた女性用衣料であって、
乳房カップの脇側上端から乳房カップの最下点よりも脇側の位置までは乳房カップの脇側の縁に沿い、更に連続して前記乳房カップの最下点よりも脇側の位置からは乳房カップの縁から離れて略下方に向かって弾力性を有する芯材が取り付けられていて、
芯材の乳房カップの縁から離れて略下方に向かっている部分が屈曲部を有し衣料前中心側に向かって凸の屈曲したラインを描いている状態で取り付けられており、
前記乳房カップの脇側上端近傍に前記肩紐の一端が取り付けられていることを特徴とする女性用衣料。
【請求項２】
女性用衣料が、乳房カップの下側に連なりウェスト近傍ないしはそれより長く下方に延在している胴部を有し、前記胴部の背面側のバック布が、乳房カップ部の存在する位置よりも下側で、ウェスト近傍部分、またはウェスト近傍部分とそれより下側をカバーする部分に存在する構造のロングブラジャー又はボディスーツから選ばれた女性用衣料である請求項１に記載の女性用衣料。
【請求項３】
乳房カップと乳房カップにその一端が取り付けられている肩紐とを少なくとも有するロングブラジャー又はボディスーツから選ばれた女性用衣料であって、前記女性用衣料は、乳房カップの下側に連なりウェスト近傍ないしはそれより長く下方に延在している胴部を有しており、前記胴部の背面側のバック布が、乳房カップ部の存在する位置よりも下側で、ウェスト近傍部分、またはウェスト近傍部分とそれより下側をカバーする部分に存在する構造の女性用衣料であり、乳房カップの脇側上端から乳房カップの最下点よりも脇側の位置までは乳房カップの脇側の縁に沿い、更に連続して前記乳房カップの最下点よりも脇側の位置からは乳房カップの縁から離れて略下方に向かって弾力性を有する芯材が取り付けられていて、前記芯材の乳房カップの縁から離れて略下方に向かっている部分は屈曲部を有し衣料前中心側に向かって凸の屈曲したラインを描いている状態で取り付けられており、前記乳房カップの脇側上端近傍に前記肩紐の一端が取り付けられていることを特徴とする女性用衣料。
【請求項４】
弾力性を有する芯材上端のほぼ延長ライン上に肩紐が取り付けられており、前記弾力性を有する芯材が、肩紐により上方且つ前中心側方向である斜め上方に引っ張られた際に、前記弾力性を有する芯材の屈曲部を有し衣料前中心側に向かって凸の屈曲したラインを描いている部分が脇側方向に屈曲が減少する様にたわむとともに、前記弾力性を有する芯材の乳房カップの脇側の縁に沿って設けられている部分が、前中心側にたわみ、乳房の脇を前中心側に寄せる機能を有する請求項１〜３のいずれかに記載の女性用衣料。
【請求項５】
女性用衣料が、ロングブラジャーであって、且つ、その左右のバック布が人体背面側で相互に開閉可能に係止し得る後ろ開きタイプの女性用衣料において、前記バック布がウェスト近傍部分に存在する構造の女性用衣料である請求項１、２、４のいずれかに記載の女性用衣料。
【請求項６】
乳房カップの脇側から下側並びに前中心側に至るほぼ下半部の湾曲縁に沿った部分であって、前記弾力性を有する芯材が存在しない部分に、更にカップワイヤーが取り付けられている請求項１〜５のいずれかに記載の女性用衣料。
【請求項７】
弾力性を有する芯材が、金属線状ないし細幅帯状芯材、プラスチック線状ないし細幅帯状芯材、金属コイルボーンから選ばれた芯材である請求項１〜６のいずれかに記載の女性用衣料。
【請求項８】
弾力性を有する芯材が、金属コイルボーンからなる芯材である請求項１〜６のいずれかに記載の女性用衣料。
【発明の詳細な説明】
【０００１】
【発明が属する技術分野】
本発明は、乳房カップと乳房カップにその一端が取り付けられている肩紐とを少なくとも有するロングブラジャー又はボディスーツから選ばれた女性用衣料に関する。特に、運動時の乳房形状の変化に応じてカップ形状が変化、追従しやすい女性用衣料に関する。
【０００２】
【従来の技術】
従来より、ブラジャー、ロングブラジャー、ボディスーツ、水着などの乳房カップを有する女性用衣料は女性用の被服として広く普及している。一般にこれらの女性用の女性用衣料は、乳房の形を整え、そのシルエットをできるだけ美しくするために乳房カップ部のカップの縁のほぼ下半部の湾曲縁周縁にほぼ円弧状の金属製のカップワイヤーを具備しているものが広く普及しており、前記カップワイヤーの剛性を利用してカップの変形を食い止めて乳房の形を美しく保とうとするものである。
【０００３】
この代表的な例をブラジャーの場合の例を挙げて説明する。図７は、従来のカップワイヤーを有するブラジャーの一例の正面図である。図７において１００が乳房カップ、１０４が乳房カップのカップの縁のほぼ下半部の湾曲縁周縁であり、ほぼ円弧状のカップワイヤーを具備している部分である。乳房カップほぼ下半部の湾曲縁は、特に厳密な境界があるわけではないが、以後の説明の便宜上、ａの部分を脇側の縁、ｂの部分を下側の縁、並びにｃの部分を前中心側の縁と呼ぶことにする。この名称は、この従来例の説明だけでなく、本発明においても共通の名称である。また、１０３はカップの最下点である。通常、カップワイヤーは、乳房カップの下縁の湾曲縁に沿って取り付けられるバイアステープなどと称される布地で被われてバイアステープの周囲の縁が乳房カップに縫合される様な方式などで取り付けられており、更にカップワイヤーがバイアステープの長さ方向の端部から抜け出ないように、その両端を縫製して閉じている。このような従来より用いられているバイアステープを用いたカップワイヤーの取り付け構造は、例えば、実用新案登録第２５２９４７６号公報の図２３〜図２４、並びにその説明として［０００９］欄に記載されている。そのほか実用新案登録第２５５０３７８号公報などにも同様に記載されている。また、図７において、１０１は土台布、１０５はバック布であり、図７に示されたブラジャーは、その左右のバック布１０５が人体背面側で相互に開閉可能に係止し得る後ろ開きタイプのブラジャーである。バック布の先端の係止部１０７、１０８にはフック・アンド・アイとも呼ばれる鈎ホックの後環部（アイ）と、アイに引っかけて止めるための鈎ホックの爪部（フック）とがそれぞれ取り付けられていて、着用時には、フックとアイを係止して左右のバック布１０５を連結し、脱ぐ場合には、フックとアイの係止をはずす方式が、通常、ポピユラーに用いられている。１０６は肩紐である。
【０００４】
次に、図９に従来のロングブラジャーの一態様の斜視図を示した。このロングブラジャーは、ウェストニッパーの機能も兼備させたロングブラジャーであり、フロントボディ部１１０が長くウェスト下部まで延在しており、１０５のバック布もほぼ同様に長くウェスト下部まで延在している。１０４が乳房カップのカップの縁のほぼ下半部の湾曲縁周縁であり、ほぼ円弧状のカップワイヤーを具備している部分である。この態様のロングブラジャーは、乳房の下側からウェスト部までの形を整えウェストを細く見せるようにするため、ほぼ直線状の金属やプラスチックスの細幅の帯状物からなるボーン１０９を更に具備しており、前記カップワイヤーとほぼ同様に、ボーンはバイアステープで被われてバイアステープの周囲の縁がフロントボディ部１１０に縫合される様な方式などで取り付けられており、更にボーンがバイアステープの長さ方向の端部から抜け出ないように、その両端を縫製して閉じている。その他、図７のブラジャーと同様の部分は同一の符号を付して重複説明を省略した。
【０００５】
なお、図７や図９に示したブラジャーやロングブラジャーにおいて、乳房カップのカップの縁のほぼ下半部の湾曲縁周縁に、前述したような態様で取り付けられているほぼ円弧状のカップワイヤーの代表的一例（着用者の左側の乳房にあてがわれる向きで描かれている。）の正面図を図８に示した。
【０００６】
これらの素材は、鋼鉄、形状記憶合金、プラスチックス（繊維強化プラスチックスなども含む）などからなり、断面形状は特に図示していないが、図８におけるＡ−Ａ′断面の断面形状が、ほぼ丸い断面の線状のカップワイヤーや、断面形状が一般に縦長になる扁平な長方形、８角形などの多角形、楕円形などの細幅の帯状物からなるカップワイヤーが用いられている。
【０００７】
【発明が解決しようとする課題】
ところで、これら従来の、カップワイヤーを具備している乳房カップと乳房カップにその一端が取り付けられている肩紐とを少なくとも有する女性用衣料は、腕を高く上げるなどの人体の動きに対し、筋肉や皮膚伸びに対する追従性が劣るため、ずれが生じて着くずれたり、ワイヤーやボーンの身体への当たりがきつくなったりして着用感が低下するなどの問題が生じていた。
【０００８】
図１０に人体左側の乳房のバージスライン（乳房の周囲の縁に相当するライン）のモデル図を示したが、本発明者らが分析したところによると、１２０が直立して腕を下げている状態の乳房のバージスラインであり、１２１の点線で示したラインが、直立して且つ腕を上に挙げている状態の乳房のバージスラインのモデル図である。なお、図の右側が、人体の外側（脇側）であり、図の左側が、人体の内側（中心側）である。図１０の１２０と１２１のラインの比較から明らかなように、（Ａ）腕を上に挙げると、バージスの外側は、人体の内側方向に動き、縦に長くなるが、バージスの内下側は変化が少ないことが認められる。そのほか、図示してはいないが、（Ｂ）腕を上に上げると、乳房の存在する位置の人体脇側の皮膚の伸びは大きいが、下に行くほど皮膚の面積変化は少なくなり、ウェスト近傍の人体脇側の皮膚の伸びは乳房の存在する位置の人体脇側の皮膚の伸びより小さいことが認められる。（Ａ）に挙げた理由により、カップワイヤーを具備している乳房カップと乳房カップにその一端が取り付けられている肩紐とを少なくとも有する従来の女性用衣料は、腕を高く上げるなどの人体の動きに対し、カップ部のずれが生じて着くずれたり、ワイヤーやボーンの身体への当たりがきつくなったりして着用感が低下するなどの問題が生じる。また、乳房カップ部の存在する位置の背面側にもバック布が存在するロングブラジャーなどでは、（Ｂ）の理由により、かなり皮膚や体型の変化の大きい部分の背面側にもバック布が存在するので、着用中の動きによる締め付けが大きくなり、締め付けによる苦しさなどの着用感の低下が生じている。
【０００９】
本発明の主たる目的は前記従来の問題を解決し、腕を高く上げるなどの人体の動きに対し、筋肉や皮膚伸びに対する追従性が良好で、ずれの発生やそれに伴う着くずれを防止し、ワイヤーやボーンなどの芯材の身体への当たりが緩和され、着用感が良好な、乳房カップと乳房カップにその一端が取り付けられている肩紐とを少なくとも有するロングブラジャー又はボディスーツから選ばれた女性用衣料を提供することを目的とする。
【００１０】
また、本発明の好ましい態様においては、ロングブラジャーやボディスーツの様に、乳房カップの下側に連なりウェスト近傍ないしはそれより長く下方に延在している胴部を有する態様の衣料において、上記の目的とともに、更に、着用中の動きによる胸部の締め付けなどの問題が軽減された着用感の良好な乳房カップと乳房カップにその一端が取り付けられている肩紐と乳房カップとその下側に連なる胴部を有する女性用衣料を提供することを目的とする。
【００１１】
【課題を解決するための手段】
前記目的を達成するため、本発明のロングブラジャー又はボディスーツから選ばれた女性用衣料（以下、これらを単に女性用衣料と略称することがある）は、次のものである。
【００１２】
（１）乳房カップと乳房カップにその一端が取り付けられている肩紐とを少なくとも有するロングブラジャー又はボディスーツから選ばれた女性用衣料であって、
乳房カップの脇側上端から乳房カップの最下点よりも脇側の位置までは乳房カップの脇側の縁に沿い、更に連続して前記乳房カップの最下点よりも脇側の位置からは乳房カップの縁から離れて略下方に向かって弾力性を有する芯材が取り付けられていて、
芯材の乳房カップの縁から離れて略下方に向かっている部分が屈曲部を有し衣料前中心側に向かって凸の屈曲したラインを描いている状態で取り付けられており、
前記乳房カップの脇側上端近傍に前記肩紐の一端が取り付けられていることを特徴とする女性用衣料。
【００１３】
（２）前記（１）項に記載の本発明の女性用衣料においては、女性用衣料が、乳房カップの下側に連なりウェスト近傍ないしはそれより長く下方に延在している胴部を有し、前記胴部の背面側のバック布が、乳房カップ部の存在する位置よりも下側で、ウェスト近傍部分、またはウェスト近傍部分とそれより下側をカバーする部分に存在する構造のロングブラジャー又はボディスーツから選ばれた女性用衣料であることが好ましい。
【００１４】
（３）また、本発明の女性用衣料は、乳房カップと乳房カップにその一端が取り付けられている肩紐とを少なくとも有するロングブラジャー又はボディスーツから選ばれた女性用衣料であって、前記女性用衣料は、乳房カップの下側に連なりウェスト近傍ないしはそれより長く下方に延在している胴部を有しており、前記胴部の背面側のバック布が、乳房カップ部の存在する位置よりも下側で、ウェスト近傍部分、またはウェスト近傍部分とそれより下側をカバーする部分に存在する構造の女性用衣料であり、乳房カップの脇側上端から乳房カップの最下点よりも脇側の位置までは乳房カップの脇側の縁に沿い、更に連続して前記乳房カップの最下点よりも脇側の位置からは乳房カップの縁から離れて略下方に向かって弾力性を有する芯材が取り付けられていて、前記芯材の乳房カップの縁から離れて略下方に向かっている部分は屈曲部を有し衣料前中心側に向かって凸の屈曲したラインを描いている状態で取り付けられており、前記乳房カップの脇側上端近傍に前記肩紐の一端が取り付けられていることを特徴とする。
【００１５】
（４）また、前記（１）〜（３）項のいずれかに記載の本発明の女性用衣料においては、弾力性を有する芯材上端のほぼ延長ライン上に肩紐が取り付けられており、前記弾力性を有する芯材が、肩紐により上方且つ前中心側方向である斜め上方に引っ張られた際に、前記弾力性を有する芯材の屈曲部を有し衣料前中心側に向かって凸の屈曲したラインを描いている部分が脇側方向に屈曲が減少する様にたわむとともに、前記弾力性を有する芯材の乳房カップの脇側の縁に沿って設けられている部分が、前中心側にたわみ、乳房の脇を前中心側に寄せる機能を有する衣料であることが好ましい。
【００１６】
（５）また、前記（１）、（２）、（４）項のいずれかに記載の本発明の女性用衣料においては、女性用衣料が、ロングブラジャーであって、且つ、その左右のバック布が人体背面側で相互に開閉可能に係止し得る後ろ開きタイプの女性用衣料であって、前記バック布がウェスト近傍部分に存在する構造の女性用衣料であることが好ましい。
【００１７】
（６）また、前記（１）〜（５）項のいずれかに記載の女性用衣料においては、乳房カップの脇側から下側並びに前中心側に至るほぼ下半部の湾曲縁に沿った部分であって、前記弾力性を有する芯材が存在しない部分に、更にカップワイヤーが取り付けられていることが好ましい。
【００１８】
（７）また、前記（１）〜（６）項のいずれかに記載の本発明の女性用衣料においては、弾力性を有する芯材が、金属線状ないし細幅帯状芯材、プラスチック線状ないし細幅帯状芯材、金属コイルボーンから選ばれた芯材であることが好ましい。
【００１９】
（８）また、前記（１）〜（６）項のいずれかに記載の本発明の女性用衣料においては、弾力性を有する芯材が、金属コイルボーンからなる芯材であることが好ましい。
【００２０】
【発明の実施の形態】
図１に本発明の、乳房カップと乳房カップにその一端が取り付けられている肩紐とを少なくとも有する女性用衣料であるロングブラジャーの一実施の形態例の前側方向から見た斜視図を示した。
【００２１】
図１において１が乳房カップ、１０ａと１０ｂの両者で乳房カップのカップ１の縁のほぼ下半部の湾曲縁周縁を表しており、１５は胴部を形成するフロント布、１６は胴部を形成する脇布、４は胴部を形成する胴部の背面側のバック布であり、脇布１６とバック布４はこの実施の形態例では、一体となっている例を示したが、脇布１６とバック布４はそれぞれ別のピースとして、その両者を縫製などにより接ぎ合わせる態様としてもよいことはもちろんである。胴部を形成するフロント布１５は、乳房カップ１の下側に連なりウェスト近傍まで延在している。そして前記胴部の背面側のバック布４が、乳房カップ部の存在する位置の背面側よりも下側で、この例では背面側のウェスト近傍部分に存在する構造のロングブラジャーである。特に限定するものではないが、胴部を形成するフロント布１５は、衣料の横方向又は縦横両方向に伸縮性を有する生地を用いることが好ましく、胴部を形成する脇布１６は衣料の縦方向又は縦横両方向に伸縮性を有する生地を用いることが好ましい。
【００２２】
５ａ、５ｂはバック布４の先端の係止部、係止部５ａの裏側には、フック・アンド・アイとも呼ばれる鈎ホックの爪部（フック）６ａが取り付けられており、係止部５ｂの表側には鈎ホックの後環部（アイ）６ｂが取り付けられていて、着用時には、フック６ａをアイ６ｂに引っかけて左右のバック布４を連結し、脱ぐ場合には、フックとアイの係止をはずす。すなわちこのロングブラジャーは、左右のバック布４が人体背面側で相互に開閉可能に係止し得る後ろ開きタイプのロングブラジャーである。
【００２３】
そしてこのロングブラジャーにおいては、弾力性を有する芯材８は、乳房カップ１の脇側上端から乳房カップの最下点３よりも脇側の位置２までは乳房カップの脇側の縁１０ｂに沿い、更に連続して前記乳房カップ１の最下点３よりも脇側の位置２からは乳房カップの縁から離れて略下方に向かって胴部の裾に至るまで延在して取り付けられている。乳房カップの縁１０ｂから離れて略下方に向かって取り付けられている弾力性を有する芯材８の部分を８ａとして示した。芯材８ａの部分は、屈曲部を１７で示したように衣料前中心側に向かって凸の屈曲したラインを描いている状態で取り付けられていて、更に略斜め外側下方に向かっている。芯材８は乳房カップの縁１０ｂの部分の芯材がバストの造形作用を発揮し、乳房カップの縁１０ｂから離れて取り付けられている８ａの部分が、フロント布１５と脇布１６の胴部の生地のめくれ上がりや皺が生じないように身体にフィットさせる機能を担っている。
【００２４】
芯材８の取り付け態様は、特に限定するものではないが、例えば、乳房カップの脇側の縁１０ｂに沿って図６に示すように肌側面及びカップの外側面に、芯材８の幅より少し広幅のバイアステープなどと称される布地で前後から挟まれるように覆い被されて取り付けられている。
【００２５】
図６は、乳房カップの所定の縁（この場合には乳房カップの脇側の縁１０ｂ）に沿って弾力性を有する芯材８が取り付けられている一態様を示す断面略図である。１が乳房カップ（一部分のみ図示した。）、８１が乳房カップ１の表側に配置されるバイアステープ、８２が乳房カップ１の裏側に配置されるバイアステープであり、これらを縫製ライン８３と８４とで縫製して、芯材８が取り付けられている。
【００２６】
なお、芯材８ａの部分は芯材８の一部であり、一体物である。芯材８の乳房カップの縁から離れて略下方に向かって取り付けられている部分８ａの部分の衣料本体への取り付け構造は特に限定するものではないが、例えば図６で説明した様な方法や、本発明の目的を阻害しない限り、例えば、前述した実用新案登録第２５２９４７６号公報や実用新案登録第２５５０３７８号公報、その他各種の公知のカップワイヤーの取付態様と同様の各種の取付態様が適用できる。この場合において、図６で言及した乳房カップ１の部分を、取り付けられる衣料の本体布（この実施の形態例ではフロント布１５）に置き換えて理解すればよい。
【００２７】
なお、本発明における弾力性を有する芯材の取り付け態様は、この例に限らず、他の本発明の女性用衣料にも同様に適用できることはもちろんである。従って、以後の各実施の形態例においては、芯材の取り付け態様は、その詳細な説明を省略している。
【００２８】
そして、図１に示された本発明のロングブラジャーにおいては、着用者が腕を下げている場合の通常の状態の場合には、図１に示されている様に、芯材８は、通常時の乳房のバージスライン（図１０のライン１２０）の脇側の形状に沿ったカーブを描いた形で存在し、芯材８ａの部分は、乳房カップの最下点よりも脇側の位置２の点で乳房カップの縁から離れて略下方に向かい、前中心側に向かって凸の屈曲したラインを描くような態様で取り付けられている。ここで着用者が腕を上に挙げた場合に、図１０の点線１２１で示したように乳房のバージスラインが、バージスの外側（脇側）は、人体の内側（中心側）方向に動き、縦に長くなる、すなわち乳房の形がこのバージスライン１２１のごとく変形するが、肩紐７も腕を上に挙げることにより矢印１２で示したように人体の内側（中心側）方向に動くとともに、それに伴い乳房カップの脇側の縁１０ｂの部分に沿って存在する芯材８も矢印１３で示したように人体の内側（中心側）方向に動き、且つ、腕を上に挙げることにより肩紐７が引っ張られるのに伴い、衣料前中心側に向かって凸の屈曲したラインの屈曲部１７が、矢印１３とは反対方向に若干動いて、芯材８（８ａ部分も含めて）が全体として直線状になるような方向（屈曲が減少する様に）に動く。以上の様に、乳房カップの脇側の縁１０ｂの部分に沿って存在する芯材８は矢印１３で示したように人体の内側（中心側）方向に動いて、乳房の変形に追従して動き、従って乳房カップがその動きに追従するようになる。そして芯材８ａの屈曲部１７近傍の部分が、矢印１３方向とは反対側に動くので、屈曲部１７より上の芯材８部分がより矢印１３方向に容易に動きやすくなり、乳房のバージスラインの変形に追従して乳房カップがその動きに追従できるようになる。そして特に、芯材８が例えば図５（平面図）に示すような金属コイルボーンからなる場合には、金属コイルボーンはコイル状に巻かれた金属線からなるバネ状物を扁平につぶしたコイルの帯状物に相当するものであり、スパイラルボーンとも呼ばれている公知のボーンであるので、非常に乳房の変形に追従しやすく、更に腕を上に挙げることにより肩紐７が引っ張られ、金属コイルボーンもそれに応じて伸び、バストの上側への伸び変形にも対応すると同時に芯材８が引っ張られることにより乳房カップの縁１０ｂの部分の芯材８が矢印１３で示したように人体の内側（中心側）方向に動く応力が働き人体の内側（中心側）方向に動いて（撓んで）、乳房のバージスラインの変形に追従して動き、従って乳房カップがその動きに追従できるようになり、特に、芯材が金属コイルボーンの場合には、比較的小さな応力で変形するので、変形の際の乳房への当たりも、きつくなく、着用感が良好な、肩紐を有するブラジャーを提供できる。この実施の形態では芯材８として金属コイルボーンを使用したものである。
【００２９】
そして、本発明の衣料においては、前記乳房カップ１の脇側上端近傍に前記肩紐７の一端が取り付けられていることが重要である。ここで、乳房カップ１の脇側上端近傍とは、乳房カップ１の脇側の芯材８の存在する部分の延長上か、芯材８の存在する部分の延長上でなく、多少それがずれてもよいが、せいぜい、肩紐７の外側（脇側）の縁のラインと芯材８の内側（前中心側）の縁のラインとが重なる程度の範囲内までのずれを許容することを意味している。肩紐７の外側（脇側）の縁のラインと芯材８の内側（前中心側）の縁のラインとが離れるほどずれていては、腕を上に挙げた際に、肩紐７による芯材８の矢印１３方向への動きとか金属コイルボーンの場合の肩紐にかかった応力に応じた伸びなどが十分に作用せず好ましくない。本発明の他の実施の形態で示す衣料においても、「乳房カップの脇側上端近傍に肩紐の一端が取り付けられている」の意味は同様である。また、「弾力性を有する芯材上端のほぼ延長ライン上に肩紐が取り付けられ」も、同様の意味である。なお、１４は肩紐７の取り付け位置を示している。
【００３０】
そして、この例では、肩紐７は芯材８の延長線上にピッタリと合致した位置で取り付けられてはおらず、前述した肩紐の外側（脇側）の縁のラインと芯材８の内側（前中心側）の縁のラインとが重なる程度の範囲内でずれた位置で肩紐７が取り付けられている例である。しかし、図１に示したロングブラジャーにおいて、肩紐の取り付け位置１４は、芯材８の上端とピッタリ合致したその延長ライン上であってもよいことはもちろんである。
【００３１】
以上のように、乳房カップの脇側上端近傍に肩紐の一端が取り付けられていることにより、腕を上に挙げた際に、肩紐７による芯材８の矢印１３方向への動きとか、金属コイルボーンの場合の肩紐にかかった応力に応じた伸びなどが十分に発揮されることになる。
【００３２】
また、図１のブラジャーにおいては、必要に応じ、乳房カップ１の下側の縁から前中心側の縁にかけての乳房カップ１の湾曲縁周縁１０ａに更にカップワイヤー９が取り付けられていてもよいし、取り付けられていることが乳房の形を整えバストアップなどの機能を補佐する点で好ましい。この場合のカップワイヤー９は乳房カップ１の最下点３よりも脇側の位置２から前中心側までに存在する通常よりは短い長さのカップワイヤーになる。カップワイヤー９と、乳房カップの脇側の縁１０ｂに沿って取り付けられている弾力性を有する芯材８とは、通常、脇側の位置２において、一体とはなっておらず、別々の部材からなっている。
【００３３】
かくして、上述した本発明のロングブラジャーは、腕を高く上げるなどの人体の動きに対し、乳房のバージスラインの変化や、それに伴う筋肉や皮膚伸びに対する追従性が良好で、乳房カップ部のずれの発生やそれに伴う着くずれを防止し、ワイヤーやボーンなどの芯材の身体への当たりが緩和され、着用感が良好な、肩紐を有するロングブラジャーが提供できる。そしてこのロングブラジャーは、芯材８（８ａの部分も含む意味である）の乳房カップの縁１０ｂから離れて取り付けられている８ａの部分が長く、衣料前中心側に向かって凸の屈曲したラインを描いている状態で取り付けられていて、屈曲部１７を有するので、乳房カップの縁１０ｂの部分のカーブも考慮すると全体的にはＳ字状又はその左右線対称状のカーブ形状となっており、腕を挙げた伸びの動作の時には、芯材８は前述したような方向に動き、全体として直線形状（屈曲部の屈曲が減少する方向）に撓もうとし、乳房カップが乳房のバージスラインの変形に追従する。そして身体を左、又は右にねじった時には、例えば右方向に身体を回転してねじったと仮定すると、左側の芯材８の屈曲部１７のカーブがよりきついカーブとなり、右側の芯材８の屈曲部１７のカーブがより緩やかなカーブになり身体の動きに追従することができる。また、前屈姿勢をとった時でも、左右の芯材８の屈曲部１７のカーブが共によりきついカーブに撓んで、お腹に突っ張るようなことがない。これに対し、従来のロングブラジャーの図９で示したような態様のロングブラジャーは、ボーン１０９が直線状であり屈曲部分がないため、伸びや身体のねじりの動作に追従することができない。また、前屈姿勢をとった場合には、ボーン１０９が突っ張って、お腹に当り極めて着用感が低下する。本発明のロングブラジャーは前述したように芯材８がＳ字状のカーブ又はそれと左右線対称のカーブ形状になるように取り付けられているので、容易に身体の動きの変化に対応でき、余り強い力をかけないで、体型変化に追従し、身体にフィットするのである。
【００３４】
そして、この態様のロングブラジャーは、前記（Ａ）、（Ｂ）で説明したような腕を挙げた時の体型の変化、特に（Ｂ）で説明した腕を上に上げると、乳房の存在する位置の人体脇側の皮膚の伸びは大きいが、下に行くほど皮膚の面積変化は少なくなり、ウェスト近傍の人体脇側の皮膚の伸びは乳房の存在する位置の人体脇側の皮膚の伸びより小さいことが認められる点を考慮し、バック布４の位置を前記皮膚の伸びや呼吸による体幹の寸法変化の大きい乳房カップの位置の後ろ側ではなく、人体脇側の皮膚の伸びや体幹の寸法変化の小さいウェスト近傍に設けることにより、乳房カップの位置の後ろ側に設けた場合のような、着用中の動きによる締め付けが大きくなり、締め付けによる苦しさなどの着用感の低下が生じる事を解消し、着用中の寸法変化の大きい胸部の締め付けによる苦しさがなく、極めて着用感が楽で、背中へのバック布やその先端の係止部などの背中への食い込みがなく、夏は涼しく、また、背中の露出度の高いアウターウエアーも着用できるなどの優れた効果を発揮することができる。
【００３５】
また、芯材８が乳房カップ部と胴部にわたって存在するので、バストを美しく造形すると共に上腹部に達するフロント布の形状を皺が発生しないように、またはめくれ上がらないように、スムーズな状態に保持する機能も発揮でき好ましい。
【００３６】
次に図２に本発明の、乳房カップと乳房カップにその一端が取り付けられている肩紐とを少なくとも有する女性用衣料であるボディスーツの一実施の形態例の前側方向から見た斜視図を示した。図１と同じ部分には同じ符号を付している。
【００３７】
図２において１が乳房カップ、１０ａと１０ｂの両者で乳房カップのカップ１の縁のほぼ下半部の湾曲縁周縁を表しており、１５は胴部を形成するフロント布、４は胴部を形成する胴部の背面側のバック布であり、バック布は図示していないが、通常のボディスーツのバック布（後身頃）と同様に、左右対称の２つのピースからなり、これらを後中心で互いに縫合して接ぎ合わせている。特に限定するものではないが、胴部を形成するフロント布１５は、衣料の横方向又は縦横両方向に伸縮性を有する生地を用いることが好ましく、胴部を形成するバック布４は衣料の縦方向又は縦横両方向に伸縮性を有する生地を用いることが好ましい。もちろん腹部中央部にお腹押え用の当て布を設けたり、お腹押さえ用の当て布を別途設ける代わりに、その部分の編み組織を切り替えて緊迫力の高い編み組織にすることによって腹部形状を整えるようにすることは任意であるし、また、臀部下部の裾部に沿って帯状にヒップアップ用の当て布を設けたり、帯状のヒップアップ用の当て布を設ける代わりに、その部分の編み組織を切り替えて緊迫力の高い編み組織にすることによってヒップ形状を整えるようにすることは任意である。
【００３８】
そしてこのボディスーツにおいては、弾力性を有する芯材８は、乳房カップ１の脇側上端から乳房カップの最下点３よりも脇側の位置２までは乳房カップの脇側の縁１０ｂに沿い、更に連続して前記乳房カップ１の最下点３よりも脇側の位置２からは乳房カップの縁から離れて略下方に向かって胴部の裾に至るまで延在して取り付けられている。乳房カップの縁１０ｂから離れて略下方に向かって取り付けられている弾力性を有する芯材８の部分を８ａとして示した。芯材８ａの部分は、屈曲部を１７で示したように衣料前中心側に向かって凸の屈曲したラインを描いている状態で取り付けられていて、更に略斜め外側下方に向かっている。芯材８は乳房カップの縁１０ｂの部分に沿って存在する芯材がバストの造形作用を発揮し、乳房カップの縁１０ｂから離れて取り付けられている８ａの部分が、フロント布１５などの胴部の生地に皺が生じないように身体にフィットさせる機能を担っている。
【００３９】
芯材８の取り付け態様は、特に限定するものではないが、その例として図６などを用いてすでに説明した通りであり、図１のロングブラジャーで説明した態様と同等の取り付け構造の態様が採用できる。
【００４０】
なお、芯材８ａの部分は芯材８の一部であり、一体物である。芯材８の乳房カップの縁から離れて略下方に向かって取り付けられている部分８ａの部分の衣料本体への取り付け構造は特に限定するものではないが、例えば図６で説明した様な方法や、本発明の目的を阻害しない限り、例えば、前述した実用新案登録第２５２９４７６号公報や実用新案登録第２５５０３７８号公報、その他各種の公知のカップワイヤーの取付態様と同様の各種の取付態様が適用できる。この場合において、図６で言及した乳房カップ１の部分を、取り付けられる衣料の本体布（この実施の形態例ではフロント布１５）に置き換えて理解すればよい。
【００４１】
そして、図２に示された本発明のボディスーツにおいては、着用者が腕を下げている場合の通常の状態の場合には、図２に示されている様に、芯材８は、通常時の乳房のバージスライン（図１０のライン１２０）の脇側の形状に沿ったカーブを描いた形で存在し、芯材８ａの部分は、乳房カップの最下点よりも脇側の位置２の点で乳房カップの縁から離れて略下方に向かい、前中心側に向かって凸の屈曲したラインを描くような態様で取り付けられている。ここで着用者が腕を上に挙げた場合に、図１０の点線１２１で示したように乳房のバージスラインが、バージスの外側（脇側）は、人体の内側（中心側）方向に動き、縦に長くなる、すなわち乳房の形がこのバージスライン１２１のごとく変形するが、肩紐７も腕を上に挙げることにより矢印１２で示したように人体の内側（中心側）方向に動くとともに、それに伴い乳房カップの脇側の縁１０ｂの部分に沿って存在する芯材８も矢印１３で示したように人体の内側（中心側）方向に動き、且つ、腕を上に挙げることにより肩紐７が引っ張られるのに伴い、衣料前中心側に向かって凸の屈曲したラインの屈曲部１７が、矢印１３とは反対方向に若干動いて、芯材８（８ａ部分も含めて）が全体として直線状になるような方向（屈曲が減少する様に）に動く。以上の様に、乳房カップの脇側の縁１０ｂの部分に沿って存在する芯材８は矢印１３で示したように人体の内側（中心側）方向に動いて、乳房の変形に追従して動き、従って、乳房カップがその動きに追従するようになる。そして芯材８ａの屈曲部１７近傍の部分が、矢印１３方向とは反対側に動くので、屈曲部１７より上の芯材８部分がより矢印１３方向に容易に動きやすくなり、乳房のバージスラインの変形に追従して乳房カップがその動きに追従できるようになる。そして特に、芯材８が例えば図５（平面図）に示すような金属コイルボーンからなる場合には、腕を上に挙げることにより肩紐７が引っ張られ、金属コイルボーンもそれに応じて伸び、バストの上側への伸び変形にも対応すると同時に芯材８が引っ張られることにより乳房カップの縁１０ｂの部分の芯材８が矢印１３で示したように人体の内側（中心側）方向に動く応力がかかり、人体の内側（中心側）方向に動いて（撓んで）、乳房の変形に追従して動き、従って乳房カップがその動きに追従できるようになり、また、芯材が金属コイルボーンの場合には、比較的小さな応力で変形するので、変形の際の乳房への当たりも、きつくなく、着用感が良好な、肩紐を有するボディスーツが提供できる。この実施の形態では芯材８として金属コイルボーンを使用したものである。そして、本発明の衣料においては、前記実施の形態例と同様に、乳房カップ１の脇側上端近傍に前記肩紐７の一端が取り付けられていることが重要である。すなわちこの実施の形態例では、肩紐の取り付け位置１４は、芯材８の存在する部分の延長上にピッタリ合致した位置に取り付けられている。
【００４２】
以上のように、芯材８の存在する部分の延長上の乳房カップの脇側上端近傍に肩紐の一端が取り付けられていることにより、腕を上に挙げた際に、肩紐７による芯材８の矢印１３方向への動きとか、金属コイルボーンの場合の肩紐にかかった応力に応じた伸びなどが十分に発揮されることになる。
【００４３】
また、図２のボディスーツにおいては、必要に応じ、乳房カップ１の下側の縁から前中心側の縁にかけての乳房カップ１の湾曲縁周縁１０ａに更にカップワイヤー９が取り付けられていてもよいし、取り付けられていることが乳房の形を整えバストアップなどの機能を補佐する点で好ましい。この場合のカップワイヤー９は乳房カップ１の最下点３よりも脇側の位置２から前中心側までに存在する通常よりは短い長さのカップワイヤーになる。カップワイヤー９と、乳房カップの脇側の縁１０ｂに沿って取り付けられている弾力性を有する芯材８とは、通常、脇側の位置２において、一体とはなっておらず、別々の部材からなっている。
【００４４】
かくして、上述した本発明のボディスーツは、腕を高く上げるなどの人体の動きに対し、乳房のバージスラインの変化や、それに伴う筋肉や皮膚伸びに対する追従性が良好で、乳房カップ部のずれの発生やそれに伴う着崩れを防止し、ワイヤーやボーンなどの芯材の身体への当たりが緩和され、着用感が良好な、肩紐を有するボディスーツを提供できる。そしてこのボディスーツは、芯材８（８ａの部分も含む意味である）の乳房カップの縁１０ｂから離れて取り付けられている８ａの部分が長く、衣料前中心側に向かって凸の屈曲したラインを描いている状態で取り付けられていて、屈曲部１７を有するので、乳房カップの縁１０ｂの部分のカーブも考慮すると全体的にはＳ字状又はその左右線対称状のカーブ形状となっており、腕を挙げた伸びの動作の時には、芯材８は前述したような方向に動き、全体として直線形状（屈曲が減少する様な形状）に撓もうとし、乳房カップが乳房のバージスラインの変形に追従する。そして身体を左、又は右にねじった時には、例えば右方向に身体を回転してねじったと仮定すると、左側の芯材８の屈曲部１７のカーブがよりきついカーブとなり、右側の芯材８の屈曲部１７のカーブがより緩やかなカーブに撓んで、身体の動きに追従することができる。また、前屈姿勢をとった時でも、左右の芯材８の屈曲部１７のカーブが共によりきついカーブとなり、お腹に突っ張るようなことがない。このように本発明のボディスーツは芯材８がＳ字状のカーブ又はそれと左右線対称のカーブ形状になるように取り付けられているので、容易に身体の動きの変化に対応でき、余り強い力をかけないで、体型変化に追従し、身体にフィットするのである。
【００４５】
また、芯材８が乳房カップ部と胴部にわたって存在するので、バストを美しく造形すると共に腹部から大腿部に達するフロント布の形状を皺が発生しないようにスムーズな状態に保持する機能も発揮でき好ましい。
【００４６】
次に図３、図４に本発明の、乳房カップと乳房カップにその一端が取り付けられている肩紐とを少なくとも有する女性用衣料であるボディスーツの一実施の形態例の正面図と背面図を示した。図１〜図２と同じ部分には同じ符号を付している。
【００４７】
図３、図４において１が乳房カップ、１０ａと１０ｂの両者で乳房カップのカップ１の縁のほぼ下半部の湾曲縁周縁を表しており、１５は胴部を形成するフロント布、１６は胴部を形成する脇布、４は胴部を形成する胴部の背面側のバック布であり、脇布１６とバック布４はこの実施の形態例では、一体となっている例を示したが、脇布１６とバック布４はそれぞれ別のピースとして、その両者を縫製などにより接ぎ合わせる態様としてもよいことはもちろんである。バック布は図４に示す様に、左右対称の２つのピースからなり、これらを後中心の接ぎライン２０で互いに縫合して接ぎ合わせている。胴部を形成するフロント布１５は、乳房カップ１の下側に連なり腹部を覆って股部まで延在している。そして前記胴部の背面側のバック布４が、乳房カップ部の存在する位置の背面側よりも下側で、この例では背面側のウェスト近傍部分及びそれより下側部分をカバーする位置に存在し、臀部を覆って股部まで延在している構造のボディスーツである。特に限定するものではないが、胴部を形成するフロント布１５は、衣料の横方向又は縦横両方向に伸縮性を有する生地を用いることが好ましく、胴部を形成する脇布１６並びにバック布４は衣料の縦方向又は縦横両方向に伸縮性を有する生地を用いることが好ましい。もちろん腹部中央部にお腹押え用の当て布を設けたり、お腹押さえ用の当て布を別途設ける代わりに、その部分の編み組織を切り替えて緊迫力の高い編み組織にすることによって腹部形状を整えるようにすることは任意であるし、また、臀部下部の裾部に沿って帯状にヒップアップ用の当て布を設けたり、帯状のヒップアップ用の当て布を設ける代わりに、その部分の編み組織を切り替えて緊迫力の高い編み組織にすることによってヒップ形状を整えるようにすることは任意である。
【００４８】
そしてこのボディスーツにおいては、弾力性を有する芯材８は、乳房カップ１の脇側上端から乳房カップの最下点３よりも脇側の位置２までは乳房カップの脇側の縁１０ｂに沿い、更に連続して前記乳房カップ１の最下点３よりも脇側の位置２からは乳房カップの縁１０ｂから離れて胴部の裾に至るまで延在して取り付けられている。乳房カップの縁１０ｂから離れて略下方に向かって取り付けられている弾力性を有する芯材８の部分を８ａとして示した。芯材８ａの部分は、屈曲部を１７で示したように衣料前中心側に向かって凸の屈曲したラインを描いている状態で取り付けられていて、更に略斜め外側下方に向かっている。芯材８は乳房カップの縁１０ｂの部分の芯材がバストの造形作用を発揮し、乳房カップの縁１０ｂから離れて取り付けられている８ａの部分が、フロント布１５などの胴部の生地に皺が生じないように身体にフィットさせる機能を担っている。
【００４９】
芯材８の取り付け態様は、特に限定するものではないが、その例として図６などを用いてすでに説明した通りであり、図１のロングブラジャーで説明した態様と同等の取り付け構造の態様が採用できる。
【００５０】
なお、芯材８ａの部分は芯材８の一部であり、一体物である。芯材８の乳房カップの縁から離れて略下方に向かって取り付けられている部分８ａの部分の衣料本体への取り付け構造は特に限定するものではないが、例えば図６で説明した様な方法や、本発明の目的を阻害しない限り、例えば、前述した実用新案登録第２５２９４７６号公報や実用新案登録第２５５０３７８号公報、その他各種の公知のカップワイヤーの取付態様と同様の各種の取付態様が適用できる。この場合において、図６で言及した乳房カップ１の部分を、取り付けられる衣料の本体布（この実施の形態例ではフロント布１５）に置き換えて理解すればよい。
【００５１】
そして、図３、図４に示された本発明のボディスーツにおいては、着用者が腕を下げている場合の通常の状態の場合には、図３、図４に示されている様に、芯材８は、通常時の乳房のバージスライン（図１０のライン１２０）の脇側の形状に沿ったカーブを描いた形で存在し、芯材８ａの部分は、乳房カップの最下点よりも脇側の位置２の点で乳房カップの縁から離れて略下方に向かい、前中心側に向かって凸の屈曲したラインを描くような態様で取り付けられている。ここで着用者が腕を上に挙げた場合に、図１０の点線１２１で示したように乳房のバージスラインが、バージスの外側（脇側）は、人体の内側（中心側）方向に動き、縦に長くなる、すなわち乳房の形がこのバージスライン１２１のごとく変形するが、肩紐７も腕を上に挙げることにより矢印１２で示したように人体の内側（中心側）方向に動くとともに、それに伴い乳房カップの脇側の縁１０ｂの部分に沿って存在する芯材８も矢印１３で示したように人体の内側（中心側）方向に動き、且つ、腕を上に挙げることにより肩紐７が引っ張られるのに伴い、衣料前中心側に向かって凸の屈曲したラインの屈曲部１７が、矢印１３とは反対方向に若干動いて、芯材８（８ａ部分も含めて）が全体として直線状（屈曲が減少）になるような方向に動く。以上の様に、乳房カップの脇側の縁１０ｂの部分に沿って存在する芯材８は矢印１３で示したように人体の内側（中心側）方向に動いて、乳房の変形に追従して動き、従って乳房カップがその動きに追従するようになる。そして芯材８ａの屈曲部１７近傍の部分が、矢印１３方向とは反対側に動くので、屈曲部１７より上の芯材８部分がより矢印１３方向に容易に動きやすくなり、乳房のバージスラインの変形に追従して乳房カップがその動きに追従できるようになる。そして特に、芯材８が例えば図５（平面図）に示すような金属コイルボーンからなる場合には、腕を上に挙げることにより肩紐７が引っ張られることにより金属コイルボーンもそれに応じて伸び、バストの上側への伸び変形にも対応すると同時に芯材８が引っ張られることにより乳房カップの縁１０ｂの部分の芯材８が矢印１３で示したように人体の内側（中心側）方向に動く応力が働き人体の内側（中心側）方向に動いて（撓んで）、乳房のバージスラインの変形に追従して乳房カップが追従できるようになり、また、芯材が金属コイルボーンの場合には、比較的小さな応力で変形するので、変形の際の乳房への当たりも、きつくなく、着用感が良好な、肩紐を有するボディスーツが提供できる。この実施の形態では芯材８として金属コイルボーンを使用したものである。そして、本発明の衣料においては、前記実施の形態例と同様に、乳房カップ１の脇側上端近傍に前記肩紐７の一端が取り付けられていることが重要である。すなわちこの実施の形態例では、肩紐の取り付け位置１４は、芯材８の存在する部分の延長上にピッタリ合致した位置に取り付けられている。
【００５２】
以上のように、乳房カップの脇側上端近傍に肩紐の一端が取り付けられていることにより、腕を上に挙げた際に、肩紐７による芯材８の矢印１３方向への動きとか、金属コイルボーンの場合の肩紐にかかった応力に応じた伸びなどが十分に発揮されることになる。
【００５３】
また、図３、図４に示したボディスーツにおいては、必要に応じ、乳房カップ１の下側の縁から前中心側の縁にかけての乳房カップ１の湾曲縁周縁１０ａに更にカップワイヤー９が取り付けられていてもよいし、取り付けられていることが乳房の形を整えバストアップなどの機能を補佐する点で好ましい。この場合のカップワイヤー９は乳房カップ１の最下点３よりも脇側の位置２から前中心側までに存在する通常よりは短い長さのカップワイヤーになる。カップワイヤー９と、乳房カップの脇側の縁１０ｂに沿って取り付けられている弾力性を有する芯材８とは、通常、脇側の位置２において、一体とはなっておらず、別々の部材からなっている。
【００５４】
かくして、上述した本発明のボディスーツは、腕を高く上げるなどの人体の動きに対し、乳房のバージスラインの変化や、それに伴う筋肉や皮膚伸びに対する追従性が良好で、乳房カップ部のずれの発生やそれに伴う着崩れを防止し、ワイヤーやボーンなどの芯材の身体への当たりが緩和され、着用感が良好な、肩紐を有するボディスーツを提供できる。そしてこのボディスーツは、芯材８（８ａの部分も含む意味である）の乳房カップの縁１０ｂから離れて取り付けられている８ａの部分が長く、衣料前中心側に向かって凸の屈曲したラインを描いている状態で取り付けられていて、屈曲部１７を有するので、乳房カップの縁１０ｂの部分のカーブも考慮すると全体的にはＳ字状又はその左右線対称状のカーブ形状となっており、腕を挙げた伸びの動作の時には、芯材８は前述したような方向に動き、全体として直線形状（屈曲が減少するような形状）に撓もうとし、乳房カップが乳房のバージスラインの変形に追従する。そして身体を左、又は右にねじった時には、例えば右方向に身体を回転してねじったと仮定すると、左側の芯材８の屈曲部１７のカーブがよりきついカーブに撓み、右側の芯材８の屈曲部１７のカーブがより緩やかなカーブになり身体の動きに追従することができる。また、前屈姿勢をとった時でも、左右の芯材８の屈曲部１７のカーブが共によりきついカーブに撓んで、お腹に突っ張るようなことがない。このように本発明のボディスーツは芯材８がＳ字状のカーブ又はそれと左右線対称のカーブ形状になるように取り付けられているので、容易に身体の動きの変化に対応でき、余り強い力をかけないで、体型変化に追従し、身体にフィットするのである。
【００５５】
そして、この態様のボディスーツは、前記（Ａ）、（Ｂ）で説明したような腕を挙げた時の体型の変化、特に（Ｂ）で説明した腕を上に上げると、乳房の存在する位置の人体脇側の皮膚の伸びは大きいが、下に行くほど皮膚の面積変化は少なくなり、ウェスト近傍の人体脇側の皮膚の伸びは乳房の存在する位置の人体脇側の皮膚の伸びより小さいことが認められる点を考慮し、バック布４の位置を変化の大きい乳房カップの位置の後ろ側ではなく、人体脇側の皮膚の伸びの小さいウェスト近傍及びそれより下側をカバーする様に設けることにより、乳房カップの位置の後ろ側に設けた場合のような、着用中の動きによる締め付けが大きくなり、締め付けによる苦しさなどの着用感の低下が生じる事を解消し、着用中の変化の大きい胸部の締め付けによる苦しさがなく、極めて着用感が楽で、夏は涼しく、また、背中の露出度の高いアウターウエアーも着用できるなどの優れた効果を発揮することができる。
【００５６】
また、芯材８が乳房カップ部と胴部にわたって存在するので、バストを美しく造形すると共に上腹部に達するフロント布の形状を皺が発生しないようにスムーズな状態に保持する機能も発揮でき好ましい。
【００５７】
以上、実施の形態の具体例として、ロングブラジャー、ボディスーツについての少数の例を取り上げて説明したが、本発明はこれらの実施の形態例に示されたもののみに限定されるものではない。
【００５８】
また、本発明で用いる弾力性を有する芯材としては、金属線状ないし細幅帯状芯材、プラスチック線状ないし細幅帯状芯材、金属コイルボーンなどが用いられる。金属としては例えばスチール、形状記憶合金などが用いられ、プラスチックスとしては、例えば、ポリフェニレンサルファイド、ポリエーテルサルホン、ポリアリレート、ポリアミドイミド、ポリエーテルエーテルケトン、液晶ポリマー、ポリアミド、ポリエチレンテレフタレート、ポリアセタール、ポリカーボネート、エチレン−ビニルアルコール共重合体などのスーパーエンジニアリングプラスチックスや汎用エンジニアリングプラスチックス、その他、ポリエステル系樹脂、ポリアセタール樹脂、ポリカーボネート樹脂等が挙げられる。なお、プラスチックスの場合には、本発明の目的を阻害しない限り、ガラス繊維、炭素繊維、各種無機ウィスカーなどで補強された繊維強化プラスチックスを用いてもよい。特に芯材として好ましいのは前述したように金属コイルボーンである。金属コイルボーンはコイル状に巻かれた金属線からなるバネ状物を扁平につぶしたコイルの帯状物に相当するものであり、スパイラルボーンとも呼ばれている。図７は金属コイルボーンの一実施形態の平面図である。金属コイルボーンは市販されており、容易に入手可能である。金属コイルボーンは比較的容易に変形することができ、芯材として使用した場合に、引っ張れば伸ばすことができ、また、変形への追従性が良好で好ましい。着用中の身体への当たりも、きつくなく、着用感が良好である。
【００５９】
ただ、例えば、図１〜図４の実施の形態例で説明した芯材８（８ａの部分も含む）の動きは、金属コイルボーンのみでなく、他の上述したような弾力性を有する芯材を用いてもほぼ同様の傾向で達成することが出来る。金属コイルボーンがより本発明の目的を達成するのに好適な芯材である。芯材の大きさ、形、素材としては、本発明の乳房カップと乳房カップにその一端が取り付けられている肩紐とを少なくとも有する女性用衣料を着用し、腕を挙げた時に前述したような動きを伴う程度の弾力性を有する芯材を選定して用いればよい。腕を挙げた時に前述したような動きや撓みが全く阻止されるような剛性の大きいものは不適当である。
【００６０】
【発明の効果】
以上説明した通り、本発明は、次の様な優れた効果を有するロングブラジャー又はボディスーツから選ばれた女性用衣料を提供できる。
【００６１】
（１）本発明の女性用衣料は、乳房カップと乳房カップにその一端が取り付けられている肩紐とを少なくとも有するロングブラジャー又はボディスーツから選ばれた女性用衣料であって、
乳房カップの脇側上端から乳房カップの最下点よりも脇側の位置までは乳房カップの脇側の縁に沿い、更に連続して前記乳房カップの最下点よりも脇側の位置からは乳房カップの縁から離れて略下方に向かって弾力性を有する芯材が取り付けられていて、
芯材の乳房カップの縁から離れて略下方に向かっている部分が屈曲部を有し衣料前中心側に向かって凸の屈曲したラインを描いている状態で取り付けられており、
前記乳房カップの脇側上端近傍に前記肩紐の一端が取り付けられていることを特徴とする。
【００６２】
従って、着用者が腕を上に挙げた場合など、乳房のバージスラインは、バージスの外側（脇側）が、人体の内側（中心側）方向に動き、縦に長くなるが、肩紐の一端が、前記弾力性を有する芯材のほぼ延長ライン上の乳房カップの脇側上端近傍に取り付けられているので、肩紐による引っ張り力が前記弾力性を有する芯材に作用し、前記弾力性を有する芯材の乳房カップの脇側の縁に沿った部分が、乳房のバージスラインの変形にほぼ適合するように、人体の内側（中心側）方向に、乳房の変形に追従して動き、従って乳房カップが追従するようになるとともに、前記芯材の屈曲部近傍の部分が、直線状になる方向で脇側に屈曲が減少する様に動くので、屈曲部より上の乳房カップの脇側の縁の部分に沿って存在する芯材部分がより人体の内側（中心側）方向に容易に動きやすくなり、また、腕を下げた場合には、その逆の動きになり、前記弾力性を有する芯材の乳房カップの脇側の縁に沿った部分が、乳房のバージスラインの変形にほぼ適合するように、乳房の変形に追従して動く。よって、乳房の変形に、より追従して乳房カップが追従しやすくなり、乳房カップ部のずれの発生やそれに伴う着くずれを防止し、ワイヤーやボーンなどの芯材の身体への当たりが緩和され、着用感が良好な、乳房カップと乳房カップにその一端が取り付けられている肩紐とを少なくとも有する女性用衣料を提供でき好ましい。
【００６３】
また、女性用衣料が、ブラジャー又はロングブラジャーから選ばれた衣料である本発明の好ましい態様とすることにより、これらの衣料は、特に体型補整機能を重視し、体型を美しく整える機能を備えることが必要であり、乳房の形を整える体型補整機能を具備し、且つ、腕を上に挙げた場合などの乳房の変形に乳房カップが追従し、乳房カップ部のずれの発生やそれに伴う着くずれを防止し、ワイヤーやボーンなどの芯材の身体への当たりが緩和され、着用感が良好な、乳房カップを有する女性用衣料を提供でき好ましい。
【００６４】
（２）また、女性用衣料が、乳房カップの下側に連なりウェスト近傍ないしはそれより長く下方に延在している胴部を有し、前記胴部の背面側のバック布が、乳房カップ部の存在する位置よりも下側で、ウェスト近傍部分、またはウェスト近傍部分とそれより下側をカバーする部分に存在する構造のロングブラジャー又はボディスーツから選ばれた女性用衣料である本発明の好ましい態様とすることにより、これらの衣料は、バック布の位置を、皮膚の伸びや運動や呼吸による体幹の寸法の変化の大きい乳房カップの位置の後ろ側ではなく、人体脇側の皮膚の伸びの小さいウェスト近傍に設けることにより、乳房カップの位置の後ろ側に設けた場合のような、着用中の胸部の締め付けによる苦しさがなく、極めて着用感が楽で、夏は涼しく、また、背中の露出度の高いアウターウエアーも着用できるなどの優れた効果を更に発揮することができ好ましい。
【００６５】
（３）また、本発明の女性用衣料は、乳房カップと乳房カップにその一端が取り付けられている肩紐とを少なくとも有するロングブラジャー又はボディスーツから選ばれた女性用衣料であって、前記女性用衣料は、乳房カップの下側に連なりウェスト近傍ないしはそれより長く下方に延在している胴部を有しており、前記胴部の背面側のバック布が、乳房カップ部の存在する位置よりも下側で、ウェスト近傍部分、またはウェスト近傍部分とそれより下側をカバーする部分に存在する構造の女性用衣料であり、乳房カップの脇側上端から乳房カップの最下点よりも脇側の位置までは乳房カップの脇側の縁に沿い、更に連続して前記乳房カップの最下点よりも脇側の位置からは乳房カップの縁から離れて略下方に向かって弾力性を有する芯材が取り付けられていて、前記芯材の乳房カップの縁から離れて略下方に向かっている部分は屈曲部を有し衣料前中心側に向かって凸の屈曲したラインを描いている状態で取り付けられており、前記乳房カップの脇側上端近傍に前記肩紐の一端が取り付けられている構成とすることにより、乳房カップの脇側の縁の部分に沿って存在する弾力性を有する芯材が人体の内側（中心側）方向に動いて、乳房の変形に追従して動き、従って乳房カップが追従するようになるとともに、前記芯材の屈曲部近傍の部分が、直線状になる方向で脇側に屈曲が減少する様に動くので、屈曲部より上の乳房カップの脇側の縁の部分に沿って存在する芯材部分がより人体の内側（中心側）方向に容易に動きやすくなり、乳房の変形に、より追従して乳房カップが追従しやすくなり、乳房カップ部のずれの発生やそれに伴う着くずれを防止し、ワイヤーやボーンなどの芯材の身体への当たりが緩和され、着用感が良好な、乳房カップと乳房カップにその一端が取り付けられている肩紐とを少なくとも有する女性用衣料を提供でき好ましい。そして弾力性を有する芯材が前記のごとく屈曲部を有するので、乳房カップの縁に沿った部分のカーブも考慮すると全体的にはＳ字状又はその左右線対称状のカーブ形状となっており、腕を挙げた伸びの動作の時には、芯材は前述したような方向に動き、全体として直線形状（屈曲部の屈曲が減少する方向）に撓もうとし、乳房カップが乳房のバージスラインの変形に追従する。そして例えば右方向に身体を回転してねじったと仮定すると、左側の芯材の屈曲部のカーブがよりきついカーブとなり、右側の芯材の屈曲部のカーブがより緩やかなカーブになり身体の動きに追従することができる。また、前屈姿勢をとった時でも、左右の芯材の屈曲部のカーブがよりきついカーブに撓んで、お腹に突っ張るようなことがない。また、弾力性を有する芯材は乳房カップの縁の部分に沿って存在する部分の芯材がバストの造形作用を発揮し、乳房カップの縁から離れて取り付けられている部分の芯材が、胴部の生地のめくれ上がりを防止したり、皺が生じないように身体にフィットさせる機能を発揮でき好ましい。
【００６６】
更にかかる本発明の女性用衣料は、バック布の位置を、皮膚の伸びや運動や呼吸による体幹の寸法の変化の大きい乳房カップの位置の後ろ側ではなく、人体脇側の皮膚の伸びの小さいウェスト近傍に設けることにより、乳房カップの位置の後ろ側に設けた場合のような、着用中の胸部の締め付けによる苦しさがなく、極めて着用感が楽で、夏は涼しく、また、背中の露出度の高いアウターウエアーも着用できるなどの優れた効果を更に発揮することができ好ましい。
【００６７】
（４）また、前記（１）〜（３）項のいずれかに記載の本発明の女性用衣料においては、弾力性を有する芯材上端のほぼ延長ライン上に肩紐が取り付けられており、前記弾力性を有する芯材が、肩紐により上方且つ前中心側方向である斜め上方に引っ張られた際に、前記弾力性を有する芯材の屈曲部を有し衣料前中心側に向かって凸の屈曲したラインを描いている部分が脇側方向に屈曲が減少する様にたわむとともに、前記弾力性を有する芯材の乳房カップの脇側の縁に沿って設けられている部分が、前中心側にたわみ、乳房の脇を前中心側に寄せる機能を有する衣料であることが好ましい。
【００６８】
このような衣料とすることにより、前記（１）〜（３）項のいずれかで説明した優れた作用効果を発揮することができる衣料を提供でき好ましい。
【００６９】
そして、本発明の女性用衣料においては、女性用衣料が、ロングブラジャー又はボディスーツから選ばれた衣料であるので、これらの衣料は、前記（１）〜（３）項で説明した優れた作用効果を、きわめて効果的に実現し発揮しうる衣料であり好ましい。
【００７０】
（５）また、本発明の女性用衣料においては、女性用衣料が、ロングブラジャーで、且つ、その左右のバック布が人体背面側で相互に開閉可能に係止し得る後ろ開きタイプの女性用衣料であって、前記バック布がウェスト近傍部分に存在する構造の女性用衣料である本発明の好ましい態様とすることにより、これらの衣料は、前記（３）項に記載の効果が発揮される好適衣料であると共に、特に、バック布の位置を、皮膚の伸びや運動や呼吸による体幹の寸法の変化の大きい乳房カップの位置の後ろ側ではなく、人体脇側の皮膚の伸びの小さいウェスト近傍に設けることにより、乳房カップの位置の後ろ側に設けた場合のような、着用中の胸部の締め付けによる苦しさがなく、極めて着用感が楽で、夏は涼しく、また、背中の露出度の高いアウターウエアーも着用できるなどの優れた効果を更に発揮することができ好ましい。
【００７１】
（６）また、乳房カップの脇側から下側並びに前中心側に至るほぼ下半部の湾曲縁に沿った部分であって、前記弾力性を有する芯材が存在しない部分に、更にカップワイヤーが取り付けられている本発明の好ましい態様とすることにより、バストアップなどの乳房の形ををより美しく整える機能を補佐する機能が発揮でき好ましい。
【００７２】
（７）また、弾力性を有する芯材が、金属線状ないし細幅帯状芯材、プラスチック線状ないし細幅帯状芯材、金属コイルボーンから選ばれた芯材である本発明の好ましい態様とすることにより、これらの芯材は、造形性の機能と乳房の変形への追従機能とを具備させることのできる素材であり好ましい。
【００７３】
（８）また、弾力性を有する芯材が、金属コイルボーンからなる芯材である本発明の好ましい態様とすることにより、金属コイルボーンは、比較的感触が柔らかく、きわめて弾力性に富んでいるので、芯材の身体への当たりが緩和され、着用感がより良好な衣料を提供できる。また、金属コイルボーンは、肩紐で引っ張られた場合にその方向への伸びる機能もあり、腕を上げた場合には、上下方向への身体表面寸法の伸びがあるので、前述した腕を上に挙げた場合の乳房の変形に応じて、追従して変形する機能に特に優れており、また、撓み性が比較的優れているので、前記（３）項に記載したような身体を回転してねじった場合の芯材の追従性がきわめて良好であり、身体の動きに追従して容易に撓むことができ、突っ張り感を緩和することができる。また、前屈姿勢をとった時でも、左右の芯材の屈曲部のカーブがよりきついカーブに容易に撓んで、お腹に突っ張るようなことがなく、これらの点で特に優れた効果が発揮でき好ましい。
【図面の簡単な説明】
【図１】  本発明の女性用衣料であるロングブラジャーの一実施の形態例の前側方向から見た斜視図。
【図２】  本発明の女性用衣料であるボディスーツの一実施の形態例の前側方向から見た斜視図。
【図３】  本発明の女性用衣料であるボディスーツの一実施の形態例の正面図。
【図４】  図３に示したボディスーツの背面図。
【図５】  本発明で用いる金属コイルボーンの一実施形態の平面図。
【図６】  乳房カップの所定の縁に沿って弾力性を有する芯材が取り付けられている一態様を示す断面略図。
【図７】  従来のカップワイヤーを有するブラジャーの一例の正面図。
【図８】  従来より用いられているほぼ円弧状のカップワイヤーの代表的一例の正面図。
【図９】  従来のロングブラジャーの一態様の斜視図。
【図１０】  人体左側の乳房のバージスライン（乳房の周囲の縁に相当するライン）のモデル図。
【符号の説明】
１          乳房カップ
２          乳房カップの最下点３よりも脇側の位置
３          乳房カップの最下点
４          バック布
５ａ、５ｂ    バック布の先端の係止部
６ａ        鈎ホックの爪部（フック）
６ｂ        鈎ホックの後環部（アイ）
７          肩紐
８          弾力性を有する芯材
８ａ        乳房カップの縁１０ｂから離れて略下方に向かって取り付けられている弾力性を有する芯材８の部分
９          カップワイヤー
１０ａ、１０ｂ    乳房カップのカップ１の縁のほぼ下半部の湾曲縁周縁
１２        肩紐７の動く方向を示す矢印
１３        弾力性を有する芯材８の動く方向を示す矢印
１４        肩紐の取り付け位置
１５        フロント布
１６        脇布
１７        屈曲部
２０        後中心の接ぎライン
８１        乳房カップ１の表側に配置されるバイアステープ
８２        乳房カップ１の裏側に配置されるバイアステープ
８３        縫製ライン
８４        縫製ライン
１００      乳房カップ
１０１      土台布
１０３      カップの最下点
１０４      乳房カップのカップの縁のほぼ下半部の湾曲縁周縁
１０５      バック布
１０６      肩紐
１０７      バック布の先端の係止部
１０８      バック布の先端の係止部
１０９      ボーン
１１０      フロントボディ部
１２０      腕を下げている場合の通常時の乳房のバージスライン
１２１      腕を上に挙げた場合の乳房のバージスライン
【図１】
0003967541.tif 000002
【図２】
0003967541.tif 000003
【図３】
0003967541.tif 000004
【図４】
0003967541.tif 000005
【図５】
0003967541.tif 000006
【図６】
0003967541.tif 000007
【図７】
0003967541.tif 000008
【図８】
0003967541.tif 000009
【図９】
0003967541.tif 000010
【図１０】
0003967541.tif 000011